(57)【要約】【課題】従来の技術に比べて、放射線画像を撮影する放射線画像撮影装置において、ユーザの意図に応じた放射線画像の撮影に関する設定情報を適切に設定することができる、放射線画像撮影装置、放射線画像撮影システム、放射線画像撮影プログラム、及び放射線画像の撮影方法を提供する。【解決手段】予め記憶部４２に、動きのパターン（ユーザが行うジェスチャ）と、無線通信の設定情報と、を対応付けて記憶しておき、ネットワーク設定モードにおいて制御部３６は、検知部４４及び検知部４５において検知したユーザのジェスチャがいずれの動きのパターンに該当するか判断し、該当する動きのパターンに対応する無線通信の設定情報を取得して、無線通信部４０に設定する。【選択図】図２
2012070862.tif 000002
【特許請求の範囲】
【請求項１】
指示物の動きのパターンと、前記動きのパターンにより指示される放射線画像の撮影に関する機能の設定情報との対応関係を記憶する記憶手段と、
前記指示物の動きにより生じた光の変化、または前記指示物の動きにより生じた接触状態の変化を検知する検知手段と、
前記検知手段により検知された光の変化に基づく動きのパターン、または接触状態の変化に基づく動きのパターンと一致する前記指示物の動きのパターンが前記記憶手段に記憶されているか否かを判断する判断手段と、
前記判断手段の判断結果に基づいて、一致する動きのパターンが前記記憶手段に記憶されている場合には、前記一致する動きのパターンに対応する前記設定情報に基づいて、前記設定情報を設定する設定手段と、
を備えた放射線画像撮影装置。
【請求項２】
前記指示物の動きのパターンは、ユーザの動きにより生じた動きのパターンであり、前記検知手段は、ユーザの動きにより生じた赤外光の変化を検知する、請求項１に記載の放射線画像撮影装置。
【請求項３】
前記放射線画像の撮影に関する機能は、放射線画像の撮影に関する無線通信を外部装置と行うための機能である、請求項１または請求項２に記載の放射線画像撮影装置。
【請求項４】
前記検知手段により検知された光の変化に基づく動きのパターン、または接触状態の変化に基づく動きのパターンが予め定められた動きのパターンである場合に、前記判断手段に判断を行わせるよう制御する制御手段を備えた、請求項１から請求項３のいずれか１項に記載の放射線画像撮影装置。
【請求項５】
前記検知手段は、放射線画像を撮影するために放射線を検出する検出手段を収容する筐体に設けられている、請求項１から請求項４のいずれか１項に記載の放射線画像撮影装置。
【請求項６】
前記検知手段を複数備え、前記判断手段は、複数の前記検知手段により検知された光の変化に基づく動きのパターン、または接触状態の変化に基づく動きのパターンと一致する前記指示物の動きのパターンが前記記憶手段に記憶されているか否かを判断する、請求項１から請求項５のいずれか１項に記載の放射線画像撮影装置。
【請求項７】
放射線画像の撮影に関する設定を指示する制御装置と、
前記制御装置からの指示に基づいて、放射線を照射する放射線照射手段と、
前記放射線照射手段から照射された放射線に応じた放射線画像を撮影する、請求項１から請求項６のいずれか１項に記載の放射線画像撮影装置と、
を備えた放射線画像撮影システム。
【請求項８】
検知手段に、指示物の動きにより生じた光の変化、または前記指示物の動きにより生じた接触状態の変化を検知させる検知ステップと、
前記検知手段により検知された光の変化に基づく動きのパターン、または接触状態の変化に基づく動きのパターンと一致する前記指示物の動きのパターンが、前記指示物の動きのパターンと、前記動きのパターンにより指示される放射線画像の撮影に関する機能の設定情報との対応関係を記憶する記憶手段に記憶されているか否かを判断する判断ステップと、
前記判断ステップの判断結果に基づいて、一致する動きのパターンが前記記憶手段に記憶されている場合には、前記一致する動きのパターンに対応する前記設定情報に基づいて、前記設定情報を設定する設定ステップと、
を備えた処理をコンピュータに実行させるための放射線画像撮影プログラム。
【請求項９】
指示物の動きのパターンと、前記動きのパターンにより指示される放射線画像の撮影に関する機能の設定情報との対応関係を記憶手段に記憶する記憶工程と、
前記指示物の動きにより生じた光の変化、または前記指示物の動きにより生じた接触状態の変化を検知する検知工程と、
前記検知工程により検知された光の変化に基づく動きのパターン、または接触状態の変化に基づく動きのパターンと一致する前記指示物の動きのパターンが前記記憶手段に記憶されているか否かを判断する判断工程と、
前記判断手段の判断工程に基づいて、一致する動きのパターンが前記記憶手段に記憶されている場合には、前記一致する動きのパターンに対応する前記設定情報に基づいて、前記設定情報を設定する設定工程と、
を備えた放射線画像の撮影方法。
【発明の詳細な説明】
【技術分野】
【０００１】
本発明は、照射された放射線により示される放射線画像を撮影する放射線画像撮影装置、放射線画像撮影システム、放射線画像撮影プログラム、及び放射線画像の撮影方法に関する。
【背景技術】
【０００２】
従来、医療診断を目的とした放射線撮影を行う放射線画像撮影システムが知られている。当該放射線画像撮影システムとしては、放射線を発生する放射線発生装置と、被検体を透過した放射線を検出して放射線画像を撮影する放射線画像撮影装置として、いわゆるカセッテ等の放射線検出器と、当該放射線発生装置及び当該放射線検出器を制御する制御装置と、を備えた放射線画像撮影システムがある。
【０００３】
放射線検出器において、制御装置等の外部装置からの指示を受けることなく、放射線画像の撮影に関する設定を行う技術がある。
【０００４】
例えば、特許文献１には、電子カセッテの筐体がユーザに触れられたかを検知して、バッテリーからの電力供給の状態を変更する技術が記載されている。また例えば、特許文献２には、カセッテの撮影面に設けられた２次元接触センサの認識結果に応じて、照射領域や階調変換のための関心領域を抽出する技術が記載されている。
【０００５】
ところで、制御装置等の外部装置からの指示を受けることなく、放射線検出器自身において設定を行うことが好ましいものとして、放射線検出器と制御装置との間で放射線画像の撮影に関する情報や放射線画像の画像データ等の通信を行うための無線通信に関した設定がある。
【０００６】
近年では、無線ＬＡＮ（Ｌｏｃａｌ  Ａｒｅａ  Ｎｅｔｗｏｒｋ）等の無線通信により制御装置と接続されるワイヤレスの放射線検出器が知られている。このようなワイヤレスの放射線検出器では、無線通信により接続された制御装置から各種設定の指示が行われるが、例外として、制御装置と放射線検出器との紐付けを決めるためのＩＤ（例えば、無線ＬＡＮの場合ではいわゆるＥＳＳＩＤ（Ｅｘｔｅｎｄｅｄ  Ｓｅｒｖｉｃｅ  Ｓｅｔ  Ｉｄｅｎｔｉｆｉｅｒ）に関しては設定が行えない場合がある。ＥＳＳＩＤは、無線ＬＡＮにおけるネットワークの識別子（ＩＤ）であり、同じＩＤ同士が紐付けられ、接続される。当該設定を変更した場合、放射線検出器に紐付けられていた制御装置が切り替わるために設定が行えない場合がある。仮に、切り替えた制御装置が存在しないものである場合、以降、当該放射検出器に紐付けされる制御装置が存在しない状態になり、何の紐付け行為もできず、設定変更もできず、結果として放射検出器として使用できない状態になるという障害が発生する場合がある。例えば、ある放射検出器を部屋Ａで、当該部屋Ａにある制御装置Ａと接続して（紐付けて）使用した後、当該放射検出器を部屋Ｂに持ち込み、当該部屋Ｂにある制御装置Ｂと接続しようとする場合等にこのような障害が発生する可能性がある。
【０００７】
このような障害の発生を抑制するためには、有線ネットワークを経由させて、無線通信に関した設定を変更することが挙げられる。また例えば、特許文献１に記載の技術を用いることが挙げられる。特許文献１には、撮影室間を移動しても撮影により取得した放射線画像データとコンソール（制御端末）との対応付けを容易に行うために、放射線画像検出装置に繋がったアクセスポイント（端末装置）と紐付けする技術が記載されている。また、１つの放射線画像検出装置に繋がるアクセスポイントが複数ある場合には、最も電波強度が強いアクセスポイントに接続する技術が記載されている。
【先行技術文献】
【特許文献】
【０００８】
【特許文献１】特開２００５−１７３４３２号公報
【特許文献２】特開２００５−３１４８６号公報
【特許文献３】特開２００１−２１６９６号公報
【発明の概要】
【発明が解決しようとする課題】
【０００９】
しかしながら、有線ネットワークを経由して、無線通信に関した設定を変更する場合、無線通信から有線通信に切り替えるワークフローが発生し、ユーザの利便性が低下する。また、有線通信を行うための機能を備える必要があり、さらに有線接続によりコストが増加する場合がある。
【００１０】
一方、上記特許文献１に記載の技術では、以下の様な問題点があり、制御装置と、放射線検出器とを適切に紐付けることができず、上述の障害が発生してしまう場合がある。
【００１１】
例えば、放射線画像検出装置と繋がったアクセスポイントや、電波強度が一番強いアクセスポイントが、当該放射線画像検出装置を持ち込んだ部屋にあるとは限らず、接続したいアクセスポイントと異なるアクセスポイントに紐付けられてしまう場合がある。例えば、隣室の部屋にあるアクセスポイントに繋がってしまう場合や、遠くの部屋のアクセスポイントの方が電波強度が強い場合等が挙げられる。また例えば、いずれのアクセスポイントにも繋がらない場合も有り得る。
【００１２】
本発明は、このような従来の技術の問題点に鑑みて、従来の技術に比べて、放射線画像を撮影する放射線画像撮影装置において、ユーザの意図に応じた放射線画像の撮影に関する設定情報を適切に設定することができる、放射線画像撮影装置、放射線画像撮影システム、放射線画像撮影プログラム、及び放射線画像の撮影方法を提供することを目的とする。
【課題を解決するための手段】
【００１３】
上記目的を達成するために、請求項１に記載の放射線画像撮影装置は、指示物の動きのパターンと、前記動きのパターンにより指示される放射線画像の撮影に関する機能の設定情報との対応関係を記憶する記憶手段と、前記指示物の動きにより生じた光の変化、または前記指示物の動きにより生じた接触状態の変化を検知する検知手段と、前記検知手段により検知された光の変化に基づく動きのパターン、または接触状態の変化に基づく動きのパターンと一致する前記指示物の動きのパターンが前記記憶手段に記憶されているか否かを判断する判断手段と、前記判断手段の判断結果に基づいて、一致する動きのパターンが前記記憶手段に記憶されている場合には、前記一致する動きのパターンに対応する前記設定情報に基づいて、前記設定情報を設定する設定手段と、を備える。
【００１４】
記憶手段は、指示物の動きのパターンと、動きのパターンにより指示される放射線画像の撮影に関する機能の設定情報を設定する設定情報との対応関係を予め記憶する。検知手段は、指示物の動きにより生じた光の変化、または指示物の動きにより生じた接触状態の変化を検知する。検知手段により検知された光の変化に基づく動きのパターン、または接触状態の変化に基づく動きのパターンと一致する指示物の動きのパターンが記憶手段に記憶されていると判断手段により判断されると、設定手段は、一致する動きのパターンに対応する設定情報に基づいて、設定情報を設定する。
【００１５】
このように、例えばユーザの動作等により生じた光の変化、または接触状態の変化を検知して、検知した光の変化または接触状態の変化に基づく動きのパターンに対応する設定情報が記憶手段に記憶されている場合は、動きのパターンに対応する設定情報を撮影に関する機能のパラメータとして設定する。従って、従来の技術に比べて、放射線画像を撮影する放射線画像撮影装置において、ユーザの意図に応じた放射線画像の撮影に関する設定情報を適切に設定することができる、
【００１６】
また、外部から指示をうけることなく、外部の装置等と非接続な状態で設定を行うことができるため、ユーザの利便性が向上する。
【００１７】
また、本発明は、請求項２に記載の放射線画像撮影装置のように、前記指示物の動きのパターンは、ユーザの動きにより生じた動きのパターンであり、前記検知手段は、ユーザの動きにより生じた赤外光の変化を検知するようにしてもよい。
【００１８】
ユーザの動きにより生じた動きのパターンにより、設定情報を設定することができるため、よい、ユーザの意図に応じた設定が行いやすくなる。また、赤外光の変化を検知するようにすることにより、ユーザが放射線画像撮影装置に接触することなく、設定情報を設定することができる。
【００１９】
また、本発明は、請求項３に記載の放射線画像撮影装置のように、前記放射線画像の撮影に関する機能は、放射線画像の撮影に関する無線通信を外部装置と行うための機能とすることができる。
【００２０】
無線通信に関する設定は、識別子（ＩＤ）の設定等、外部装置等と非接続な状態で行うことが好ましい場合がある。本発明は、外部の装置等と非接続な状態で設定を行うことができるため、このような場合に適用すると、より高い効果が得られる。
【００２１】
また、本発明は、請求項４に記載の放射線画像撮影装置のように、前記検知手段により検知された光の変化に基づく動きのパターン、または接触状態の変化に基づく動きのパターンが予め定められた動きのパターンである場合に、前記判断手段に判断を行わせるよう制御する制御手段を備えるようにしてもよい。
【００２２】
また、本発明は、請求項５に記載の放射線画像撮影装置のように、前記検知手段は、放射線画像を撮影するために放射線を検出する検出手段を収容する筐体に設けられていてもよい。
【００２３】
また、本発明は、請求項６に記載の放射線画像撮影装置のように、前記検知手段を複数備え、前記判断手段は、複数の前記検知手段により検知された光の変化に基づく動きのパターン、または接触状態の変化に基づく動きのパターンと一致する前記指示物の動きのパターンが前記記憶手段に記憶されているか否かを判断するようにしてもよい。
【００２４】
このように検知手段を複数備えることにより、誤検知を防止することができる。
【００２５】
また、請求項７に記載の放射線画像撮影システムは、放射線画像の撮影に関する設定を指示する制御装置と、前記制御装置からの指示に基づいて、放射線を照射する放射線照射手段と、前記放射線照射手段から照射された放射線に応じた放射線画像を撮影する、請求項１から請求項６のいずれか１項に記載の放射線画像撮影装置と、を備える。
【００２６】
また、請求項８に記載の放射線画像撮影プログラムは、  検知手段に、指示物の動きにより生じた光の変化、または前記指示物の動きにより生じた接触状態の変化を検知させる検知ステップと、前記検知手段により検知された光の変化に基づく動きのパターン、または接触状態の変化に基づく動きのパターンと一致する前記指示物の動きのパターンが、前記指示物の動きのパターンと、前記動きのパターンにより指示される放射線画像の撮影に関する機能の設定情報との対応関係を記憶する記憶手段に記憶されているか否かを判断する判断ステップと、前記判断ステップの判断結果に基づいて、一致する動きのパターンが前記記憶手段に記憶されている場合には、前記一致する動きのパターンに対応する前記設定情報に基づいて、前記設定情報を設定する設定ステップと、を備えた処理をコンピュータに実行させるためのものである。
【００２７】
また、請求項９に記載の放射線画像の撮影方法は、指示物の動きのパターンと、前記動きのパターンにより指示される放射線画像の撮影に関する機能の設定情報との対応関係を記憶手段に記憶する記憶工程と、前記指示物の動きにより生じた光の変化、または前記指示物の動きにより生じた接触状態の変化を検知する検知工程と、前記検知工程により検知された光の変化に基づく動きのパターン、または接触状態の変化に基づく動きのパターンと一致する前記指示物の動きのパターンが前記記憶手段に記憶されているか否かを判断する判断工程と、前記判断手段の判断工程に基づいて、一致する動きのパターンが前記記憶手段に記憶されている場合には、前記一致する動きのパターンに対応する前記設定情報に基づいて、前記設定情報を設定する設定工程と、を備える。
【発明の効果】
【００２８】
以上説明したように、従来の技術に比べて、放射線画像を撮影する放射線画像撮影装置において、ユーザの意図に応じた放射線画像の撮影に関する設定情報を適切に設定することができるという効果が得られる。
【図面の簡単な説明】
【００２９】
【図１】本実施の形態に係る放射線画像撮影システムの構成の一例を示す概略構成図である。
【図２】本実施の形態に係る放射線検出器の概略構成の一例を示す機能ブロック図である。
【図３】本実施の形態に係る放射線検出器のＴＦＴ部の構成の一例を模式的に示す断面図である。
【図４】本実施の形態に係る放射線検出器のＴＦＴ部の構成のその他の一例を模式的に示す断面図である。
【図５】本実施の形態に係る無線通信の設定をユーザが行うためのジェスチャ及び放射線検出器に備えられたジェスチャの検知部を説明するための説明図である。
【図６】本実施の形態に係る放射線検出器の制御部における無線通信設定処理の流れの一例を示すフローチャートである。
【発明を実施するための形態】
【００３０】
以下、各図面を参照して本実施の形態の放射線画像撮影システムの一例について説明する。図１に、本実施の形態に係る放射線画像撮影システムの概略構成の一例を示す。なお、図１では、部屋Ａ、Ｂ、Ｃ毎に、同様の放射線画像撮影システム１０（１０Ａ、１０Ｂ、１０Ｃ）が設置されている場合を示している。以下、部屋Ａ、Ｂ、Ｃ及び部屋Ａ、Ｂ、Ｃ毎に備えられている放射線画像撮影システム１０Ａ、１０Ｂ、１０Ｃ等を区別する場合は、Ａ、Ｂ、Ｃの符号を付して説明し、個々を区別せずに総称する場合は、Ａ、Ｂ、Ｃの符号の記載を省略する。
【００３１】
本実施の形態の放射線画像撮影システム１０は、制御装置１２、放射線発生装置１４、及び放射線検出器１６を備えて構成されている。
【００３２】
制御装置１２は、放射線検出器１６と無線により接続されており、通信Ｉ／Ｆ２６を介して無線によるコマンド・データ伝送により放射線検出器１６に対して各種制御を実行する機能を有している。また、制御装置１２は、放射線発生装置１４と接続されており、放射線（例えばエックス線（Ｘ線）等）を発生するタイミングを制御する機能を有している。制御装置１２は、ＣＰＵ（Ｃｅｎｔｒａｌ  Ｐｒｏｃｅｓｓｉｎｇ  Ｕｎｉｔ）２０、メモリ２２、処理部２４、及び通信Ｉ／Ｆ２６を備えて構成されており、ＣＰＵ２０、メモリ２２、処理部２４、及び通信Ｉ／Ｆ２６は、ＣＰＵバス等のバス２８により、互いに信号の授受が可能に接続されている。ＣＰＵ２０は、メモリ２２に予め記憶されている各種プログラムを実行することにより、制御装置１２全体の動作を制御する機能を有するものである。また、処理部２４は、放射線検出器１６から画像データを取得して各種の処理を行う機能を有するものである。
【００３３】
制御装置１２の制御に基づいたタイミングで、放射線発生装置１４は、放射線管１５から放射線を被験体１８に照射する。放射線発生装置１４から照射された放射線は、被検体１８を透過することで画像情報を担持した状態になって、放射線検出器１６に照射される。
【００３４】
図２に、本実施の形態の放射線検出器１６の略構成の一例の機能ブロック図を示す。本実施の形態の放射線検出器１６はＦＰＤ（Ｆｌａｔ  Ｐａｎｅｌ  Ｄｅｔｅｃｔｏｒ）であり、いわゆるカセッテ等が挙げられる。
【００３５】
放射線検出器１６は、ＴＦＴ（Ｔｈｉｎ  Ｆｉｌｍ  Ｔｒａｎｓｉｓｔｏｒ、薄膜トランジスタ）部３０、チャージアンプ・ＭＵＸ（マルチプレクサ）３２、Ａ／Ｄコンバータ３４、制御部３６、ゲート駆動部３８、無線通信部４０、記憶部４２、検知部４４、検知部４５、表示部４６、及び電源部４８を備えて構成されている。ＴＦＴ部３０、チャージアンプ・ＭＵＸ３２、制御部３６、ゲート駆動部３８、無線通信部４０、記憶部４２、及び電源部４８は、筐体４９（図５参照）内部に収納されており、検知部４４、検知部４５、及び表示部４６は、筐体４９に設けられている。
【００３６】
ＴＦＴ部３０は、照射された放射線を検出する機能を有するものである。図３に、ＴＦＴ部３０の構成の一例を模式的に示した断面図を示す。図３に示すように、放射線検出器１６は、絶縁性基板５０にＴＦＴ等のスイッチ素子５２が形成されたＴＦＴ基板５４を含んで構成されている。
【００３７】
スイッチ素子５２は、各スイッチ素子５２をオン、オフ、させるためのゲート線６８に接続されている。当該ＴＦＴ基板５４上には、入射される放射線を光に変換するシンチレータ層５６が形成されている。シンチレータ層５６としては、例えば、ＣＳＩ：Ｔｌ、Ｇｏｓ（Ｇｄ２Ｏ２Ｓ：Ｔｂ）蛍光体等を用いることができる。なお、シンチレータ層５６は、これらの材料に限られるものではない。
【００３８】
絶縁性基板５０としては、例えば、ガラス基板、各種セラミック基板、樹脂基板等を用いることができるが、これらの材料に限られるものではない。
【００３９】
シンチレータ層５６とＴＦＴ基板５４との間には、シンチレータ層５６によって変換された光が入射されることにより電荷を発生する光導電層５８が配置されている。当該光導電層５８のシンチレータ層５６側の表面には、光導電層５８にバイアス電圧を印加するためのバイアス電極６０が設けられている。
【００４０】
また、ＴＦＴ基板５４には、光導電層５８で発生した電荷を収集するための電荷収集電極６２が設けられている。ＴＦＴ基板５４では、各電荷収集電極６２で収集された電荷がスイッチ素子５２によって読み出される。
【００４１】
電荷収集電極６２は、ＴＦＴ基板５４上に、マトリックス状（二次元状）に配置されており、これに対応してスイッチ素子ＴＦＴが絶縁性基板５０上にマトリックス状に配置されている。また、ＴＦＴ基板５４には、ＴＦＴ基板５４上を平坦化するための平坦化層６４が形成されている。また、ＴＦＴ基板５４とシンチレータ層５６との間であって、平坦化層６４上には、シンチレータ層５６をＴＦＴ基板５４に接着するための接着層６６が形成されている。
【００４２】
放射線検出器１６は、シンチレータ層５６が接着された表側から放射線が照射されてもよいし、ＴＦＴ基板５４側（裏側）から放射線が照射されてもよい。放射線検出器１６は、表側から放射線が照射された場合、シンチレータ層５６の上面側（ＴＦＴ基板５４の反対側）でより強く発光し、裏側から放射線が照射された場合、ＴＦＴ基板５４を透過した放射線がシンチレータ層５６に入射してシンチレータ層５６のＴＦＴ基板５４側がより強く発光する。各光導電層５８には、シンチレータ層５６で発生した光により電荷が発生する。このため、放射線検出器１６は、表側から放射線が照射された場合の方が裏側から放射線が照射された場合よりも、放射線がＴＦＴ基板５４を透過しないため、放射線に対する感度を高く設計することが可能であり、また、裏側から放射線が照射された場合の方が表側から放射線が照射された場合よりも、各光導電層５８に対するシンチレータ層５６の発光位置が近いため、撮影によって得られる放射線画像の分解能が高い。
【００４３】
なお、ＴＦＴ部３０の構造等は、これに限らず、放射線検出器１６に照射された放射線に応じた電荷を蓄積し、出力する機能を有するものであれば限定されず、その他の構造であってもよい。ＴＦＴ部３０のその他の構造の一例を図４に示す。図４は、ＴＦＴ部３０の構成のその他の一例を模式的に示した断面図である。図４に示したＴＦＴ部３０では、放射線を直接アモルファスセレン等を用いたセンサ部で電荷に変換して蓄積する直接変換方式の構造を示している。
【００４４】
図４に示したＴＦＴ部３０では、入射される放射線を変換する放射線変換層の一例として、入射される放射線を電荷に変換する光導電層５９が、ＴＦＴ基板５４上に形成されている。光導電層５９としては、アモルファスセレン（ａ−Ｓｅ）、Ｂｉ１２ＭＯ２０（Ｍ：Ｔｉ、Ｓｉ、Ｇｅ）、Ｂｉ４Ｍ３Ｏ１２（Ｍ：Ｔｉ、Ｓｉ、Ｇｅ）、Ｂｉ２Ｏ３、ＢｉＭＯ４（Ｍ：Ｎｂ、Ｔａ、Ｖ）、Ｂｉ２ＷＯ６、Ｂｉ２４Ｂ２Ｏ３９、ＺｎＯ、ＺｎＳ、ＺｎＳｅ、ＺｎＴｅ、ＭＮｂＯ３（Ｍ：Ｌｉ、Ｎａ、Ｋ）、ＰｂＯ、ＨｇＩ２、ＰｂＩ２、ＣｄＳ、ＣｄＳｅ、ＣｄＴｅ、ＢｉＩ３、ＧａＡｓ等のうち少なくとも１つを主成分とする化合物等が用いられるが、暗抵抗が高く、放射線照射に対して良好な光導電性を示し、真空蒸着法により低温で大面積成膜が可能な非晶質（アモルファス）材料が好ましい。
【００４５】
光導電層５９上には、光導電層５９の表面側に形成され、光導電層５９へバイアス電圧を印加するためのバイアス電極６１が形成されている。
【００４６】
直接変換方式のＴＦＴ部３０では、間接変換方式のＴＦＴ部３０（上述の図３参照）と同様に、光導電層５９で発生した電荷を収集する電荷収集電極６２がＴＦＴ基板５４上に形成されている。
【００４７】
また、直接変換方式のＴＦＴ部３０におけるＴＦＴ基板５４は、各電荷収集電極６２で収集された電荷を蓄積する電荷蓄積容量６３を備えている。この各電荷蓄積容量６３に蓄積された電荷が、スイッチ素子５２によって読み出される。
【００４８】
ＴＦＴ部３０において読み出された電荷は電気信号として、チャージアンプ・ＭＵＸ３２に出力される。チャージアンプ３２は、電気信号を増幅し、電気的情報としてのアナログ電圧に変換する機能を有するものであり、具体的例としては、オペアンプ及びコンデンサを用いた増幅回路及びサンプルホールド回路で構成されている。サンプルホールド回路に保持された電気信号はＭＵＸ３２でパラレル−シリアル変換を行い、Ａ／Ｄコンバータ３４に出力するように構成されている。
【００４９】
Ａ／Ｄコンバータ３４は、シリアル入力されたアナログ電圧を、より取り扱いが容易なデジタル信号に変換する機能を有するものである。Ａ／Ｄコンバータ３４によりデジタル信号に変換された放射線画像の２次元の画像データは、制御部３６に出力される。本実施の形態では、Ａ／Ｄコンバータ３４には、画像メモリ（図示省略）が接続されており、伝送された画像データが画像メモリに順に記憶される。本実施の形態では、画像メモリは所定枚数分の画像データを記憶可能な記憶容量を有しており、放射線画像の撮影が行われる毎に、撮影によって得られた画像データが画像メモリに順次記憶されるように構成されている。
【００５０】
制御部３６はマイクロコンピュータによって構成され、ＣＰＵ３６Ａ、ＲＯＭおよびＲＡＭを含むメモリ３６Ｂ、フラッシュメモリ等からなる不揮発性の記憶部３６Ｃを含んで構成されており、メモリ３６Ｂに記憶されている各種プログラムをＣＰＵ３６Ａで実行することにより放射線検出器１６全体の動作を制御する機能を有するものである。また、本実施の形態では、制御部３６は、検知部４４及び検知部４５で検知したユーザのジェスチャと一致する動きのパターンが記憶部４２に記憶されているか判断し、記憶されている場合は、記憶されている動きのパターンに対応付けられている無線通信の設定に基づいて、無線通信部４０を設定する機能を有するものである（詳細後述）。
【００５１】
画像データは、無線通信部４０にさらに伝送される。無線通信部４０は、ライン毎の画像データを無線にてパケット伝送する機能を有するものである。このように本実施の形態の無線通信部４０は、外部装置（ここでは制御装置１２）と無線通信を行う機能を有するものであり、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１ａ／ｂ／ｇ等に代表される無線ＬＡＮ規格に対応しており、無線通信による外部機器との間での各種情報の伝送を制御する。無線通信部４０は、設定されているＥＳＳＩＤを参照して、紐付けられているネットワークと無線通信を行う。
【００５２】
また、無線通信部４０を介することにより、制御部３６は、制御装置１２等の放射線画像撮影全体を制御する外部装置と無線通信が可能とされており、制御装置１２との間で各種情報の送受信が可能とされている。被験体１８の放射線画像を撮影する際は、制御部３６は、制御装置１２から無線通信部４０を介して受信される撮影条件や被験体１８情報等の各種情報を記憶し、撮影条件に基づいて電荷の読み出しを行う。
【００５３】
検知部４４及び検知部４５は、図５に示すように、放射線検出器１６の筐体４９に設けられている。なお、図５は、放射線検出器１６を撮影面側から平面視した平面図である。本実施の形態では、検知部４４及び検知部４５は、筐体４９の側面側に設けられており、放射線検出器１６の近傍（検知部４４及び検知部４５で検知できる範囲内）でユーザが行ったジェスチャを検知する機能を有するものである。本実施の形態では、検知部４４及び検知部４５は、赤外線センサを用いているが、赤外センサに限らず、ユーザが行ったジェスチャを光の変化に基づいて検知するセンサであれば特に限定されない。このように光の変化に基づいて検知する検知器を用いることにより、非接触で（ユーザが放射線検出器１６に接触することなく）、無線通信の設定を行えるため好ましいが、ユーザが行ったジェスチャを検知することができるものであればタッチセンサ等接触式の検知器を用いるようにしてもよい。なお、本実施の形態では、検知部４４及び検知部４５を同種の赤外線センサとしているが、両者を異なる種類のセンサとしてもよい。
【００５４】
表示部４６は、放射線検出器１６が、無線通信の設定を行うモード（ネットワーク設定モード、詳細後述）に移行したこと等を報知する機能を有するものであり、図５に示すように、放射線検出器１６の筐体４９の検知部４４及び検知部４５が設けられている側面側と異なる側面側に設けられている。表示部４６を設ける位置は、表示をユーザが見易い位置が好ましい。本実施の形態では、具体的一例として、表示部４６はＬＥＤで構成されている。
【００５５】
記憶部４２は、動きのパターン（ユーザが行うジェスチャ）と、無線通信の設定情報と、を対応付けて記憶する機能を有するものである。なお、記憶部４２を不揮発性のメモリで構成し、放射線検出器１６の電源が遮断された場合でも記憶している設定情報が保持されるように構成してもよい。なお、本実施の形態では、設定情報とは、設定値（パラメータ）のことを表しているが、これに限らず、設定値に関する情報であってもよい。
【００５６】
また、本実施の形態の放射線検出器１６には、電源部４８が備えられており、上述した各部等は、電源部４８から供給された電力によって動作する。電源部４８は、放射線検出器１６の可搬性を損なわないように、バッテリー（充電可能な二次電池）を内蔵しており、充電されたバッテリーから各部等へ電力を供給する。なお、図２では、図が煩雑になるのを防ぐために、電源部４８と各部等を接続する配線を省略して記載している。
【００５７】
このようにして本実施の形態の放射線検出器１６では、照射された放射線に応じた放射線画像の撮影が行われる。なお、本実施の形態の放射線検出器１６による放射線画像の撮影動作は、放射線発生装置１４による放射線の照射と同期をとることなく実行される。照射動作と同期をとることなく、放射線画像の撮影を行う方法としては、ＴＦＴ部３０で電荷蓄積を開始する条件を予め定めておき、当該条件が成立したことをトリガとして撮影タイミングを判断して撮影（電荷蓄積）を行う方法や、予め定められた画素または専用の画素に蓄積された電荷を読み出し、読み出した電荷の値が予め定められた閾値を越えた場合に撮影タイミングと判断して撮影を行う方法等が挙げられるが、特に限定されない。なおいずれの方法においても、放射線画像の撮影のための電荷蓄積を開始する直前でそれまでに蓄積された電荷をリセットするリセット動作を行うことが好ましい。
【００５８】
次に、本実施の形態の放射線検出器１６における、無線通信の設定を行う処理動作（以下、無線通信設定処理という）について図面を参照して詳細に説明する。図６は、無線通信設定処理動作の流れの一例を示すフローチャートである。無線通信設定処理を行う際には、制御部３６においてメモリ３６Ｂの所定の領域に予め記憶されているプログラムがＣＰＵ３６Ａにより実行される。なお、図５に示した無線通信設定処理を行うタイミングは、電源部４８により電源が投入された場合や、バッテリーが交換された後、最初に電源部４８から電源が投入された場合や、電源の投入中に定期的に行う場合等が、挙げられるが、特に限定されない。なお、ユーザの所望によりタイミングを設定できるように構成されていてもよい。
【００５９】
ステップ１００では、検知部４４及び検知部４５により検知されたユーザのジェスチャ（赤外光の変化）が入力される。次のステップ１０２では、検知されたユーザのジェスチャが無線通信の設定を切り替えるモード（ネットワーク設定モード）を指示する動作であるか否か判断する。本実施の形態では、放射線検出器１６と接続する制御装置１２を替えたい場合等ネットワークの設定を切り替えたい場合または、新たに設定を行いたい場合は、ユーザは、まず、放射線画像の撮影を行う通常のモードから無線通信の設定を行うためのネットワーク設定モードに切り替えるように放射線検出器１６に指示する。ユーザは、当該指示をジェスチャによって行う。具体的一例として、本実施の形態では、ユーザが左右（図５参照）に手を振る動作をモード切り替え動作としている。なお、このようにモードを切り替える際にユーザが行うジェスチャは、モード切り替え動作として特定の動作を予め定めておいてもよいが、現在設定されている設定情報に応じた動作（その設定情報を設定する場合にユーザが行うジェスチャ）をモード切り替え動作としてもよい。
【００６０】
ステップ１０２では、検知されたユーザのジェスチャがモード切替動作ではない場合は、否定されてステップ１００に戻る。一方、モード切替動作である場合は、肯定されてステップ１０４へ進み、ステップ１０４では、ネットワーク設定モードに切り替える。
【００６１】
次のステップ１０６では、ネットワーク設定モードに切り替わったことをユーザに報知するために、表示部４６を点灯パターンＡで点灯させる。具体的一例として、本実施の形態では、表示部４６を非点灯状態から点灯状態にさせている。
【００６２】
このように表示部４６が点灯したことにより、ユーザは、放射線検出器１６がネットワーク設定モードに切り替わったことを認識し、無線通信の設定を行うために所望の設定に応じたジェスチャを行う。本実施の形態では、無線通信の設定Ｂ（制御装置１２Ｂに接続するための設定）には手を前後（図５参照）に動かす動きのパターンが対応しており、また、設定Ｃ（制御装置１２Ｃに接続するための設定）には、手を左右にするよう動かす動きのパターンが対応しおり、当該対応関係が記憶部４２に予め記憶されている。そのため、ユーザは、無線通信を設定Ｂにするためには、手を前後（図５参照）に動かすようジェスチャを行い、設定Ｃにするためには、手を左右にするようにジェスチャを行う。
【００６３】
そこで、ステップ１０８では、検知部４４及び検知部４５がこのようなユーザのジェスチャを検知したか否か判断する。検知していない場合は、否定されて待機状態になり、一方、検知した場合は、肯定されてステップ１１０へ進み、検知したジェスチャがいずれの動きのパターンなのか判断し、次のステップ１１２では、判断した動きのパターンに対応する無線通信の設定情報を記憶部４２から取得する。さらに次のステップ１１４では、取得した無線通信の設定情報を無線通信部４０に設定する。
【００６４】
次のステップ１１６では、無線通信部４０の設定が完了したことをユーザに報知するために、表示部４６を表示パターンＢで点灯させる。具体的一例として、本実施の形態では表示部４６を所定の回数点滅させた後、消灯している。なお、点滅回数等、表示部４６の点灯のさせ方は、設定が完了したことをユーザに報知できるものであれば特に限定されない。例えば、無線通信部４０を設定Ｂに設定した場合は、２回点滅させ、設定Ｃに設定した場合は、３回点滅させる等、設定情報に応じた回数点滅させるようにして、設定が完了した旨と共に、ユーザに対して設定された設定情報が何であるかを報知するようにしてもよい。
【００６５】
次のステップ１１８では、ネットワーク設定モードを終了し、さらに次のステップ１２０では、本処理を終了するか否か判断する。終了しない場合は、否定されてステップ１００に戻り、検知部４４及び検知部４５によりモード切替動作を行ったことを検知するまで待機状態になり、本処理を繰り返す。一方、肯定された場合は、本処理を終了する。
【００６６】
以上、説明したように、本実施の形態に係る放射線画像撮影システム１０の放射線検出器１６は、予め記憶部４２に、動きのパターン（ユーザが行うジェスチャ）と、無線通信の設定情報と、を対応付けて記憶しておき、ネットワーク設定モードにおいて制御部３６は、検知部４４及び検知部４５において検知したユーザのジェスチャがいずれの動きのパターンに該当するか判断し、該当する動きのパターンに対応する無線通信の設定情報を取得して、無線通信部４０に設定する。
【００６７】
このように、ユーザのジェスチャに応じて無線通信部４０の設定を行うため、ユーザの意図に応じた設定を適切に行うことができる。また、有線ネットワークを経由することなく、制御装置１２等と非接続な状態で設定を行うことができるため、ユーザの利便性が向上する。また、図１に示したように、放射線検出器１６を複数の部屋（放射線画像の撮影室）で無線通信のみで利用することができる。
【００６８】
また、本実施の形態の放射線検出器１６では、ユーザが放射線検出器１６の筐体４９近傍で行ったジェスチャを検知部４４及び検知部４５で検知して、無線通信の設定を行うようにしているため、ユーザが放射線検出器１６に接触せずとも、設定を行うことができる。
【００６９】
なお、上記実施の形態では、無線通信の設定情報（ＥＳＳＩＤ）を記憶部４２に記憶させることにより設定する場合について詳細に説明したがこれに限らない。例えば、無線通信の設定情報についてもＥＳＳＩＤに限らず、周波数帯等や放射線画像撮影システム１０の状況によってはＳＳＩＤ等その他の識別子であってもよい。また、その他の放射線画像の撮影に関する設定情報を設定させてもよく、ＴＦＴ部３０の電荷蓄積時間等、一般的に、制御装置１２から設定していた設定情報を上述した無線通信設定処理と同様の処理により、放射線検出器１６に対して設定するようにしてもよい。
【００７０】
また、本実施の形態で具体的例として示したユーザのジェスチャ（動きのパターン）も一例でありその他のジェスチャであってもよいが、誤検知を防止するために、ユーザが意図しないとできないような（ユーザが偶然、行ってしまわないような）ジェスチャとすることが好ましい。
【００７１】
また、本実施の形態では、ユーザのジェスチャを検知する検知手段として、検知部４４及び検知部４５を設けているが、放射線検出器１６に設ける検知部の数は、このように２個に限らず、１個でも、３個以上でもよい。なお、誤検出を防止するためには、複数個設けることが好ましい。また、検知部４４及び検知部４５を設ける位置も図５に示した位置に限定されない。
【００７２】
また、本実施の形態では、検知部４４及び検知部４５は、ユーザが手を動かすジェスチャを検知する場合について説明したがこれに限らず、手以外の身体部位の動きを検知してもよいし、身体部位ではなく物の動きを検知してもよい。また、バーコードリーダー等を用いて検知するようにしてもよい。
【００７３】
その他、本実施の形態で説明した放射線画像撮影システム１０、制御装置１２、放射線発生装置１４、及び放射線検出器１６等の構成等は一例であり、本発明の主旨を逸脱しない範囲内において状況に応じて変更可能であることは言うまでもない。
【００７４】
また、本実施の形態で説明した無線通信設定処理の流れの一例（図６）も一例であり、本発明の主旨を逸脱しない範囲内において状況に応じて変更可能であることは言うまでもない。
【００７５】
また、本実施の形態では、本発明の放射線としてＸ線を適用した場合について説明したが、本発明はこれに限定されるものではなく、γ線などを適用してもよい。
【符号の説明】
【００７６】
１０  放射線画像撮影システム
１２  制御装置
１４  放射線発生装置
１６  放射線検出器
３０  ＴＦＴ部
３６  制御部
４０  無線通信部
４２  記憶部
４４  検知部
４５  検知部
４６  表示部
４８  電源部
【図１】
2012070862.tif 000003
【図２】
2012070862.tif 000004
【図３】
2012070862.tif 000005
【図４】
2012070862.tif 000006
【図５】
2012070862.tif 000007
【図６】
2012070862.tif 000008